(57)【要約】【課題】  本発明は、組み付けおよび取り外しの作業性を従来に比して簡単に行うことのできる計器装置を提供することを目的とするものである。【解決手段】  中ケース４０と、中ケース４０の前面側に配置され前面が透視可能な上ケース５０と、中ケース４０と回路基板３０とを覆う下ケース６０と、を備えてなる計器装置において、中ケース４０の中央側の背面部に弾性腕片４１１にフック部４１２を設け、フック部４１２の裏面側となる弾性腕片４１１にリブ４１３を突設し、下ケース６０には、下ケース６０の底面部分から回路基板３０に向けて突出する開口窓部６２３を備えた載置部６２０を設け、載置部６２０と連続してフック部４１２と係合する係合受け部６２４を設けるとともに、下ケース６０から一体にリブ４１３と当接可能な突き当て部６２５を設け、突き当て部６２５の両側にスリット部６２６を設けてなること。【選択図】  図５
2013113590.tif 000002
【特許請求の範囲】
【請求項１】
指示計器の前面側に配置される表示板と、前記指示計器を実装する硬質材料からなる回路基板と、この回路基板の前面側に配置され、前記表示板を載置する樹脂材料からなる中ケースと、この中ケースの前面側に配置され、少なくとも前面が透視可能な樹脂材料からなる上ケースと、前記中ケースと前記回路基板とを覆う樹脂材料からなる下ケースと、を備えてなる計器装置において、前記中ケースの周縁部には、前記下ケースの上端側の周縁部に載置するためのフランジ部が設けられるとともに、前記中ケースの中央側の背面部に弾性腕片に設けられた係止爪部からなるフック部が設けられ、このフック部の裏面側となる前記弾性腕片にリブを突設し、前記下ケースには、前記フック部と対応する位置に前記下ケースの底面部分から前記回路基板に向けて突出する載置部が設けられ、前記載置部は、前記回路基板側に向けて立ち上がり形成された立ち上がり壁部と、この立ち上がり壁部と連続して回路基板の背後側を支持する載置面部とから形成され、前記載置面部に開口窓部が設けられ、この開口窓部の縁部に前記載置面部と連続して前記フック部と係合する係合受け部が設けられるとともに、この係合受け部と対向する前記開口窓部側には前記下ケースから一体に前記リブと当接可能な突き当て部が設けられ、この突き当て部の両側には突き当て部を撓みやすくするためのスリット部を設けてなることを特徴とする計器装置。
【請求項２】
前記受け部は、前記載置部から前記下ケースの底面に向かうに従って徐々に前記突き当て部に近づく方向に傾斜する傾斜部にて形成されていることを特徴とする請求項１に記載の計器装置。
【請求項３】
前記受け部の両側に切り込み部を設けてなることを特徴とする請求項１または請求項２に記載の計器装置。
【請求項４】
前記回路基板は、前記下ケースと前記中ケースとの間に挟着保持してなることを特徴とする請求項１から請求項３のいずれかに記載の計器装置。
【発明の詳細な説明】
【技術分野】
【０００１】
本発明は、例えば自動車やオートバイ、建設機械、農耕機械などの車両に搭載される計器装置に関する。
【背景技術】
【０００２】
従来の車両などに搭載される計器装置として、特許文献１や特許文献２などに示すような構成が知られている。当該特許文献などによる計器装置にあっては、速度計や回転計などの指針式の指示計器の前面側に配置される表示板と、前記指示計器を実装する硬質材料からなる回路基板と、この回路基板の前面側に配置され、前記表示板を載置する樹脂材料からなる中ケースと、この中ケースの前面側に配置され、少なくとも前面が透視可能な樹脂材料からなる透視パネル部材と表示板の表示領域を仕切る見返しパネル部材とからなる上ケースと、前記中ケースと前記回路基板とを覆う樹脂材料からなる下ケースと、を備えてなる計器装置を構成している。
【０００３】
この場合、計器装置の組み付けを簡便に行うためにビス締めによる固定手段から、例えば弾性腕片に備えた爪状のフック部からなる係止部とこの係止部に設けられた弾性腕片のフック部と係合する枠状の係合部とを着脱可能に設けるように構成することによって、組み付けおよび分解などの作業を個別に設けた部品であるビスによるビス締め作業に比べて簡単に行うことができるようにしたものが知られている。
【０００４】
【特許文献１】特開２００１−１７４２９２号公報
【特許文献２】特開２００８−７５６９６号公報
【特許文献３】特開平１ー２５０６０６号公報  〔第５図参照〕
【特許文献４】実公平２ー２５１３１号公報    〔第１図から第３図参照〕
【発明の開示】
【発明が解決しようとする課題】
【０００５】
ところで、前述の特許文献１や特許文献２などにおける計器装置は、例えば上ケースである透視パネル部材と見返しパネル部材や中ケースあるいは下ケースのそれぞれの外周部分に係止用のフック部を設け、このフック部などに対応するように見返しパネル部材や中ケースあるいは下ケースなどに枠状の係合部を形成して係合保持するように構成している。
【０００６】
この際、組み付け後において係止用のフック部と枠状の係合部との間において寸法的なバラツキやケースなどの反りなどによる変形などによって、フック部と係合部との嵌合状態に弛みが生じ、外部から振動が加わった場合、特に振動雰囲気中にて使用される場合あっては各ケース間でガタツキが生じてしまい、軋み音などが発生してしまうという問題がある。
【０００７】
この点を避けるために、例えば特許文献３や特許文献４などに記載されているように、係止用のフック部が設けられた弾性腕片の裏面側に位置した弾性腕片箇所にリブを突設し、このリブをケースの壁面に押し付けるように設けることによって、各ケース間の隙間などによる寸法誤差やケースの反りによる変形を吸収しガタツキを防ぐようにしたものが提案されている。
【０００８】
しかしながら、このような構成からなる固定構造においては、組み付け時におけるガタツキを解消することができるという反面、各ケースの取り外しを行う場合、枠状の係合部に係合保持された複数のフック部を撓ませながら取り外す必要があり、例えば中ケースおよび下ケースとを分解するに際して、中ケースに設けられた係止用のフック部を備えた弾性腕片の裏面側にリブが設けられ、このリブを受けているケース側の剛性も高いために、フック部を撓ませながらケース同志を外そうとした際にフック部のリブに大きな力が加わっても撓みにくくなり、手作業による分解作業が厄介であり、そのため専用の取り外し治具が必要となったり、場合によってはフック部を破損させてしまう虞があった。
【０００９】
そこで本発明は、前述の問題点に着目し、組み付けおよび取り外しの作業性を良好に行うことのできる計器装置を提供することを目的とするものである。
【課題を解決するための手段】
【００１０】
本発明は前述した課題を解決するため、請求項１では、指示計器の前面側に配置される表示板と、前記指示計器を実装する硬質材料からなる回路基板と、この回路基板の前面側に配置され、前記表示板を載置する樹脂材料からなる中ケースと、この中ケースの前面側に配置され、少なくとも前面が透視可能な樹脂材料からなる上ケースと、前記中ケースと前記回路基板とを覆う樹脂材料からなる下ケースと、を備えてなる計器装置において、前記中ケースの周縁部には、前記下ケースの上端側の周縁部に載置するためのフランジ部が設けられるとともに、前記中ケースの中央側の背面部に弾性腕片に設けられた係止爪部からなるフック部が設けられ、このフック部の裏面側となる前記弾性腕片にリブを突設し、前記下ケースには、前記フック部と対応する位置に前記下ケースの底面部分から前記回路基板に向けて突出する載置部が設けられ、前記載置部は、前記回路基板側に向けて立ち上がり形成された立ち上がり壁部と、この立ち上がり壁部と連続して回路基板の背後側を支持する載置面部とから形成され、前記載置面部に開口窓部が設けられ、この開口窓部の縁部に前記載置面部と連続して前記フック部と係合する係合受け部が設けられるとともに、この係合受け部と対向する前記開口窓部側には前記下ケースから一体に前記リブと当接可能な突き当て部が設けられ、この突き当て部の両側には突き当て部を撓みやすくするためのスリット部を設けてなることを特徴とするものである。
【００１１】
このように構成することにより、突き当て部の両側にスリット部を設けることにより、突き当て部自体の剛性を弱めることができるため、中ケースと下ケースとを取り外す際に弾性腕片に設けられた係止爪部からなるフック部をケース側に設けられた係合受け部との係合を解き放すように突き当て部側に押し圧することにより、突き当て部が撓みやすくなるので、分解作業を良好に行うことができる。
【００１２】
また請求項２では、請求項１に記載の計器装置において、前記係合受け部は、前記載置部から前記下ケースの底面に向かうに従って徐々に前記突き当て部に近づく方向に傾斜する傾斜部にて形成されていることを特徴とするものである。
【００１３】
このように構成することにより、中ケースと下ケースとの組み付けに際し、下ケースの開口窓部の縁部に設けられた係合受け部の傾斜部に沿って中ケースに設けられたフック部が誘い込まれながら組み付けることができるため、組み付け作業を良好に行うことができる。
【００１４】
また請求項３では、請求項１または請求項２に記載の計器装置において、前記係合受け部の両側に切り込み部を設けてなることを特徴とするものである。
【００１５】
このように構成することにより、係合受け部の両側に切り込み部が設けられることによって、切り込み部自体の剛性を弱めることができ、中ケースと下ケースとの組み付けに際し、下ケースの開口窓部の縁部に設けられた係合受け部に沿って中ケースに設けられたフック部を送り込む際に係合受け部が撓んでフック部を傷めることなく送り込むことができ、組み付け作業も良好に行うことができる。
【００１６】
また請求項４では、請求項１から請求項３のいずれかに記載の計器装置において、前記回路基板は、前記下ケースと前記中ケースとの間に挟着保持してなることを特徴とするものである。
【００１７】
このように構成することにより、中ケースと下ケースとの組み付け固定時において、下ケースを基準にして回路基板および中ケースをセットして中ケースのフック部にて下ケースの係合受け部と係合保持することにより、各ケース内にて回路基板を挟み付けながら良好に組み付け保持することができる。
【発明の効果】
【００１８】
本発明による計器装置においては、指示計器の前面側に配置される表示板と、前記指示計器を実装する硬質材料からなる回路基板と、この回路基板の前面側に配置され、前記表示板を載置する樹脂材料からなる中ケースと、この中ケースの前面側に配置され、少なくとも前面が透視可能な樹脂材料からなる上ケースと、前記中ケースと前記回路基板とを覆う樹脂材料からなる下ケースと、を備えてなる計器装置において、前記中ケースの周縁部には、前記下ケースの上端側の周縁部に載置するためのフランジ部が設けられるとともに、前記中ケースの中央側の背面部に弾性腕片に設けられた係止爪部からなるフック部が設けられ、このフック部の裏面側となる前記弾性腕片にリブを突設し、前記下ケースには、前記フック部と対応する位置に前記下ケースの底面部分から前記回路基板に向けて突出する載置部が設けられ、前記載置部は、前記回路基板側に向けて立ち上がり形成された立ち上がり壁部と、この立ち上がり壁部と連続して回路基板の背後側を支持する載置面部とから形成され、前記載置面部に開口窓部が設けられ、この開口窓部の縁部に前記載置面部と連続して前記フック部と係合する係合受け部が設けられるとともに、この係合受け部と対向する前記開口窓部側には前記下ケースから一体に前記リブと当接可能な突き当て部が設けられ、この突き当て部の両側には突き当て部を撓みやすくするためのスリット部を設けてなることを特徴とする計器装置であるため、突き当て部の両側にスリット部を設けることにより、突き当て部自体の剛性を弱めることができるため、中ケースと下ケースとを取り外す際に弾性腕片に設けられた係止爪部からなるフック部をケース側に設けられた係合受け部との係合を解き放すように突き当て部側に押し圧することにより、突き当て部が撓みやすくなるので、分解作業を良好に行うことができるものであり、これにより所期の目的を達成することができる。
【図面の簡単な説明】
【００１９】
【図１】図１は、本発明の第１の実施形態である計器装置を示す正面図である。
【図２】図２は、図１の計器装置の外観を示す背面図である。
【図３】図３は、図１のＡ−Ａ線箇所を示す計器装置の断面図である。
【図４】図４は、図３の組み付け前の状態を示す計器装置の断面図である。
【図５】図５は、図１および図２のＢ−Ｂ線箇所を示す計器装置の断面図である。
【図６】図６は、図５の中ケースの係止部と、この係止部と係合される下ケースの要部箇所を示す分解斜視図である。
【図７】図７は、図５の中ケースの係止部と下ケースとの取り外し途上を示す計器装置の要部断面図である。
【図８】図８は、本発明の第２の実施形態である中ケースの係止部と、この係止部と係合される下ケースの要部箇所を示す分解斜視図である。
【発明を実施するための最良の形態】
【００２０】
図１から図７は本発明の第１の実施形態を示すもので、以下、これらに基づいて本発明の実施形態を例えば自動車に搭載される計器装置を例にして説明する。
【００２１】
同図において、本実施形態による計器装置においては、速度計、燃料計、水温計などの指針式の指示計器１０の前面側に配置される表示板２０と、前記指示計器１０の計器本体１１を実装する硬質材料からなる回路基板３０と、この回路基板３０の前面側に配置され、前記表示板２０を載置する樹脂材料からなる中ケース４０と、この中ケース４０の前面側に配置され、少なくとも前面が透視可能な樹脂材料からなる透視パネル部材５１と表示板２０の表示領域を仕切る見返しパネル部材５２とからなる上ケース５０と、前記中ケース４０と前記回路基板３０とを覆う樹脂材料からなる下ケース６０と、を備えて構成している。
【００２２】
この場合、速度計や燃料計、水温計などの各種情報を表示する各指示計器１０にあっては、回路基板３０の背後側に各指示計器１０の一部を構成する計器本体１１がそれぞれ組み付け固定されており、この各計器本体１１に設けられた指針軸１２の先端側に、指針軸１２を軸芯として回転する指針１３がそれぞれ圧入固定されている。この実施形態における指針構造としては、透明な合成樹脂たとえばポリカーボネート樹脂やアクリル樹脂などにて形成された発光指針１３を用いている。
【００２３】
また計器本体１１は、可動磁石式計器またはステッピングモータからなり、この例では指針軸１２が回路基板３０に形成した軸孔を貫通するように、回路基板３０の背後に装着され、且つ半田付け等の適宜導通手段により配線パターンに電気接続されている。
【００２４】
また指針１３の背後側に位置した中ケース４０の前面側に配置される表示板２０には、目盛や数字や記号などからなる表示部２１が施されている。また、表示板２０には、指針軸１２に対応した位置に貫通孔２２が設けられ、この貫通孔２２を通じて指針軸１２と指針１３とが連結できるようになっている。
【００２５】
また回路基板３０は、たとえばガラスエポキシ系基材に配線パターン（図示せず）を施した硬質回路基板からなり、計器本体１１の駆動・制御を行う駆動手段（図示せず）や、たとえば抵抗、コンデンサ等の各種電子部品（図示せず）が前記配線パターンに導通接続されている。この回路基板３０上には、枠状の中ケース４０内に臨んで表示板２０の目盛部や数字などの表示部２１を透過照明するための光源（発光ダイオード７０）と、指針１３を発光照明するための指針用光源（発光ダイオード７１）とが実装されるとともに、前述したように計器本体１１が回路基板３０の背後側に組み付け固定されている。
【００２６】
また中ケース４０は、白色系の合成樹脂材料によって速度計、液面計、水温計などの指示計器１０を支持するために全体が略枠状の側壁部４１と、この側壁部４１の中程をそれぞれ繋ぐように設けられた水平壁部４２によって形成され、その枠状に形成された中ケース４０から一体にそれぞれの指示計器１０の指針軸１２を取り巻くように円筒部４３が形成され、この円筒部４３の底部に位置した回路基板３０の表面側に前述した指針照明用としての光源７１が配置されている。この場合、前記水平壁部４２は表示板２０を載置する載置面として形成している。
【００２７】
また、中ケース４０には円筒部４３の外周面の中程から連続して反射壁部４４が一体に突き出し形成され、この反射壁部４４の真下の位置には前述したように目盛や数字などからなる表示部２１を透過照明するための照明用としての光源７０が配置されている。また中ケース４０には、光源７０からの光を反射壁部４４を介して反射導光し、この反射導光した光をさらに表示板２０の表示部２１側へと反射導光する反射面部４５が中ケース４０の水平壁部４２から連続して一体に形成されている。
【００２８】
また上ケース５０の一部を構成する透視パネル部材５１は、例えば透明な合成樹脂からなり、表示板２０上の表示部２１が透視できるように設けられている。
【００２９】
また上ケース５０の一部を構成する見返しパネル部材５２は、例えば黒色の合成樹脂からなり、表示板２０上の表示部２１領域が視認可能となるように表示板２０の周縁部箇所を覆うように設けられている。
【００３０】
また下ケース６０は、例えば合成樹脂からなり、回路基板３０の背後と中ケース４０の外周面側を覆うように有底枠状に形成されている。
【００３１】
ところで、本実施形態における計器装置の各構成部材の組み付け・取り外し構造としての構成として、上ケース５０や中ケース４０および下ケース６０の各構成部材には以下の構造が用いられている。
【００３２】
透視パネル部材５１の外周部の適所には、所定の間隔を配して複数個の係止部５１０が一体に設けられている。この場合、係止部５１０としては、透視パネル部材５１の外周部から一体に下ケース６０側に向けて突出する弾性腕片５１１と、この弾性腕片５１１の先端部に設けられた爪状のフック部５１２と、このフック部５１２が設けられた弾性腕片５１１の裏面側となる箇所に突設して設けられたリブ５１３とによって形成されている。
【００３３】
また見返しパネル部材５２側には、透視パネル部材５１に設けた係止部５１０のいくつかを受け入れるために枠状の係合部５２０が係止部５１０と対向する位置に一体に設けられるとともに、前記透視パネル部材５１と同様にして見返しパネル部材５２の外周部の適所に弾性腕片５２１とフック部５２２とリブ５２３とからなる係止部５２４が所定の間隔を配して一体に設けられている。
【００３４】
また下ケース６０には、透視パネル部材５１に設けられた弾性腕片５１１とフック部５１２とリブ５１３とからなる係止部５１０と、見返しパネル部材５２に設けられた弾性腕片５２１とフック部５２２とリブ５２３とからなる係止部５２４とがそれぞれ係合保持されるように下ケース６０の外周部箇所に枠状からなる係合部６００がそれぞれ設けられている。
【００３５】
また中ケース４０には、中ケース４０の上側周縁端部に外側に向けて水平方向に突出するフランジ部４００が設けられ、このフランジ部４００は下ケース６０の周縁部に載置可能に設けられるとともに、上ケース５０と下ケース６０との間にフランジ部４００が挟着保持されるように設けられている。
【００３６】
また中ケース４０と下ケース６０との間に配設される回路基板３０は、中ケース４０と下ケース６０との間に挟着保持されるように設けられている。この際、下ケース６０には、その下ケース６０の底面部分から回路基板３０に向けて突出する基板受部６１０を設けている。この基板受部６１０の厚み分によって回路基板３０に実装される電子部品や計器本体１１の実装スペースが確保される。
【００３７】
本実施形態においては、中ケース４０の中央部領域において適宜な箇所（２箇所）に中ケース４０と一体にして下ケース６０側（中ケース４０の背面側）に向けて弾性腕片４１１と、この弾性腕片４１１の先端側に設けられた係止爪部からなるフック部４１２と、このフック部４１２が設けられた側と反対に面した弾性腕片４１１には弾性腕片４１１の長手方向に沿って突出形成されたリブ４１３とからなる係止部４１０が設けられている。
【００３８】
また下ケース６０側には、中ケース４０の係止部４１０と対応する箇所に中ケース４０の底面部分から枠状に凹んだ載置部６２０が設けられており、この載置部６２０の高さ寸法と基板受部６１０の高さ寸法とを同一の高さ寸法となるように設定して設けている。
【００３９】
この際、載置部６２０としては、回路基板３０側に向けて立ち上がり形成された立ち上がり壁部６２１と、この立ち上がり壁部６２１と連続して回路基板３０の背後側を支持する載置面部６２２とから凹設空間部Ｓが形成され、載置面部６２２に開口窓部６２３が設けられるとともに、この開口窓部６２３位置に対応して回路基板３０に貫通孔３１が設けられている。
【００４０】
また開口窓部６２３の縁部である載置面部６２２と連続して弾性腕片４１１に設けられた係止爪部からなるフック部４１２と係合する係合受け部６２４が設けられるとともに、この係合受け部６２４と対向する開口窓部６２３側の縁部である載置面部６２２側には下ケース６０から一体にリブ４１３と当接可能な突き当て部６２５が設けられ、この突き当て部６２５の両側には突き当て部６２５を撓みやすくするためのスリット部６２６が設けられている。
【００４１】
なお、本実施形態においては、係合受け部６２４は、載置部６２０に形成された載置面部６２２から下ケース６０の底面側に向かうに従って徐々に突き当て部６２５側に近づく方向に傾斜する傾斜部にて形成されている。
【００４２】
このように構成された第１の実施形態おける計器装置においては、以下のように組み付けが行われる。まず最初に回路基板３０に各指示計器１０の一部を構成する計器本体１１をそれぞれ組み付け固定するとともに電気的に引き回し形成し、この状態にて回路基板３０を下ケース６０を基準にしてセットする。次いで、中ケース４０の前面側に表示板２０を配置した状態にて、下ケース６０にセットする。
【００４３】
この際、下ケース６０に対して所定位置に中ケース４０を載せてセットした後に、中ケース４０と下ケース６０との組み付けを行うに際し、下ケース６０の開口窓部６２３の縁部に設けられた係合受け部６２４の傾斜部に沿って中ケース４０に設けられたフック部４１２が誘い込まれながら組み付けることができるため、組み付け作業を良好に行うことができる。
【００４４】
続いて各計器本体１１に設けられた指針軸１２の先端側に指針１３の基部側を圧入固定する。これにより下ケース６０を基準として計器本体１１を組み付けた回路基板３０、中ケース４０および表示板２０が積層状態にてセットされる。さらに、上ケース５０となる見返しパネル部材５２と透視パネル部材５１とを下ケース６０側に重ね合わせて組み付けることにより、見返しパネル部材５２と透視パネル部材５１とにそれぞれ設けられた係止部５２４，５１０が下ケース６０側に設けた枠状の係合部６００に沿って送り込まれ各係止部５２４，５１０に設けられたフック部５２２，５１２が枠状の係合部６００に係合して抜け止め保持される。
【００４５】
この際、下ケース６０の係合部６００に対し、上ケース５０側に設けた係止部５２４，５１０を係合固定するだけで、上ケース５０と下ケース６０との間に中ケース４０に設けたフランジ部４００を介して中ケース４０を挟着保持することができる。さらに、この係合固定と同時に、中ケース４０と下ケース６０との間に回路基板３０を挟着保持することができるものであり、組み付け作業の効率化を図ることが可能となる。
【００４６】
また、計器装置を分解（取り外し）する場合においては、上ケース５０となる見返しパネル部材５２と透視パネル部材５１とにそれぞれ設けられた係止部５２４，５１０と下ケース６０に設けられた枠状の係合部６００との係合状態を開放する場合、各係止部５２４，５１０に設けられた弾性腕片５２１，５１１の長さが比較的に長いため、それぞれの弾性腕片５２１，５１１を撓ませながら係合部６００との係合を解き放すことができる。
【００４７】
続いて、下ケース６０に組み付けられている回路基板３０や中ケース４０は、下ケース６０の底面から回路基板３０側に向けて突出するように奥まった位置にて回路基板３０側に向けて立ち上がり形成された立ち上がり壁部６２１と、この立ち上がり壁部６２１と連続して回路基板３０の背後側を支持する載置面部６２２とからなる載置部６２０が設けられ、しかも載置部６２０としては、回路基板３０側に向けて立ち上がり形成された立ち上がり壁部６２１と、この立ち上がり壁部６２１と連続して回路基板３０の背後側を支持する載置面部６２２とから凹設空間部Ｓが形成され、載置面部６２２に開口窓部６２３が設けられるとともに、この開口窓部６２３の縁部である載置面部６２２と連続して弾性腕片４１１に設けられた係止爪部からなるフック部４１２と係合する係合受け部６２４が設けられるとともに、この係合受け部６２４と対向する開口窓部６２３側の縁部である載置面部６２２側には下ケース６０から一体にリブ４１３と当接可能な突き当て部６２５が設けられ、この突き当て部６２５の両側には突き当て部６２５を撓みやすくするためのスリット部６２６が設けられているため、中ケース４０と下ケース６０とを取り外す際に、比較的に短い寸法にて形成された弾性腕片４１１であったとしても、弾性腕片４１１に設けられた係止爪部からなるフック部４１２を下ケース６０側に設けられた係合受け部６２４との係合を解き放すように突き当て部６２５側に押し圧した際に、突き当て部６２５がスリット部６２６によって簡単に撓むこととなり、これにより弾性腕片４１１に加わる負荷を軽減することができるものであり、弾性腕片４１１を折損することなく係合状態を解き放つことができ、中ケース４０や回路基板３０を簡単に取り外すことができる。
【００４８】
なお、弾性腕片４１１に設けられたリブ４１３によって本来の目的の一つである耐震性に優れた計器装置を提供することができるものであり、この結果、共振などによる軋み音などの異音の発生をも抑制することができる。
【００４９】
図８は、本発明の第２の実施形態を示すものであり、前述した図１から図７に示す第１の実施形態とほぼ同様であるため、計器装置の主要部構成については省略する。
【００５０】
前述した第１の実施形態と同様にして中ケース４０には、中ケース４０の上側周縁部に外側に向けて水平方向に突出するフランジ部４００が設けられ、このフランジ部４００を上ケース５０と下ケース６０との間に挟着保持するように設けている。
【００５１】
また中ケース４０の中央部領域において適宜な箇所（２箇所）に中ケース４０と一体にして下ケース６０側に向けて弾性腕片４１１とフック部４１２およびリブ４１３からなる係止部４１０が設けられている。
【００５２】
また下ケース６０側には、中ケース４０の係止部４１０と対応する箇所に中ケース４０の底面部分から枠状に凹んだ載置部６２０が設けられており、この載置部６２０の高さ寸法と基板受部６１０の高さ寸法とを同一の高さ寸法となるように設定して設けている。
【００５３】
この際、載置部６２０としては、回路基板３０側に向けて立ち上がり形成された立ち上がり壁部６２１と、この立ち上がり壁部６２１と連続して回路基板３０の背後側を支持する載置面部６２２とから凹設空間部Ｓが形成され、載置面部６２２に開口窓部６２３が設けられるとともに、この開口窓部６２３位置に対応して回路基板３０に貫通孔３１を設けられている。
【００５４】
また開口窓部６２３の縁部である載置面部６２２と連続して弾性腕片４１１に設けられた係止爪部からなるフック部４１２と係合する係合受け部６２４が設けられるとともに、この係合受け部６２４と対向する開口窓部６２３側の縁部である載置面部６２２側には下ケース６０から一体にリブ４１３と当接可能な突き当て部６２５が設けられ、この突き当て部６２５の両側には突き当て部６２５を撓みやすくするためのスリット部６２６が設けられている。
【００５５】
また第１の実施形態と同様にして、係合受け部６２４は、載置部６２０に形成された載置面部６２２から下ケース６０の底面側に向かうに従って徐々に突き当て部６２５側に近づく方向に傾斜する傾斜部にて形成されている。
【００５６】
この第２の実施形態においては、係合受け部６２４の両端側に切り込み部６２７が設けられている。
【００５７】
このように構成された第２の実施形態おける計器装置においては、前述した第１の実施形態と同様にして、下ケース６０を基準として計器本体１１を組み付けた回路基板３０、中ケース４０および表示板２０が積層状態にてセットされる。さらに、上ケース５０となる見返しパネル部材５２と透視パネル部材５１とを下ケース６０側に重ね合わせて組み付けることにより、見返しパネル部材５２と透視パネル部材５１とが前述した第１の実施形態と同様にして固定保持される。
【００５８】
この際、下ケース６０に対して所定位置に中ケース４０を載せてセットした後に、中ケース４０と下ケース６０との組み付けを行うに際し、下ケース６０の開口窓部６２３の縁部に設けられた係合受け部６２４の傾斜部に沿って中ケース４０に設けられたフック部４１２が誘い込まれながら組み付けることができるため、組み付け作業を良好に行うことができるものであり、加えて係合受け部６２４の両側に切り込み部６２７を設けてなることにより、切り込み部６２７自体の剛性を弱めることができ、中ケース４０と下ケース６０との組み付けに際し、下ケース６０の開口窓部６２３の縁部に設けられた係合受け部６２４に沿って中ケース４０に設けられたフック部４１２を送り込む際に、係合受け部６２４が撓んでフック部４１２を傷めることなく送り込むことができ、組み付け作業もさらに良好に行うことができる。
【００５９】
また前述した第１の実施形態と同様にして、計器装置を分解（取り外し）する場合においても、上下のケース５０，６０に設けた係止部５２４，５１０と係合部６００との係合箇所を取り外すことによって分離することができるものであり、この場合、各係止部５２４，５１０に設けられた弾性腕片５２１，５１１の長さが比較的に長いため、それぞれの弾性腕片５２１，５１１を撓ませながら係合部６００との係合状態を簡便に解き放すことができる。
【００６０】
続いて、下ケース６０に組み付けられている回路基板３０や中ケース４０とを取り外す場合、前述した第１の実施形態とほぼ同様にして、比較的短い寸法にて形成された弾性腕片４１１であったとしても、係合受け部６２４と対向する開口窓部６２３側の縁部である載置面部６２２側には下ケース６０から一体にリブ４１３と当接可能な突き当て部６２５が設けられ、この突き当て部６２５の両側には突き当て部６２５を撓みやすくするためのスリット部６２６が設けられているため、弾性腕片４１１に設けられたフック部４１２を下ケース６０側に設けられた係合受け部６２４との係合を解き放すように突き当て部６２５側に押し圧した際に突き当て部６２５が簡単に撓むため、弾性腕片４１１に加わる負荷を軽減することができ、これにより弾性腕片４１１を折損することなく係合状態を解き放つことができ、分解作業を良好に行うことができるものであり、中ケース４０や回路基板３０を簡単に取り外すことができる。
【００６１】
また中ケース４０と下ケース６０間に挟着保持される回路基板３０は、中ケース４０に設けたリブ４１３が設けられた係止部４１０によって下ケース６０との間において強固に保持することができるとともに、上下のケース５０，６０間に挟まれて保持された中ケース４０を下ケース６０側との間において係合保持することができるものであり、耐震性に優れた計器装置を提供することができるものであり、この結果、共振などによる軋み音などの異音の発生をも抑制することができる。
【００６２】
加えて立ち上がり壁部６２１と載置面部６２２とからなる載置部６２０の凹設空間部Ｓ領域に中ケース４０から一体に設けられた係止部４１０が配置されるため、下ケース６０の底面側から係止部４１０が突出することなく形成することができ、係止部４１０が外部から突き当たって折損してしまうという問題も未然に防ぐことができる。
【００６３】
なお本発明は、前記実施形態に限定されるものではなく本発明の要旨の範囲内において種々の変形実施が可能であり、例えば実施形態においては、指針式の指示計器１０を例にして説明していたが、例えば液晶表示素子からなる表示装置による指示計器としてもよいものであり、場合によっては、中ケース４０に回路基板３０を組み付け、この回路基板３０が組み付けられた中ケース４０を上ケース５０と下ケース６０との間に挟持して固定保持するように構成しても組み付け・取り外しの作業効率を高めることができるものである。
【産業上の利用可能性】
【００６４】
また、前述した実施形態において詳述したように、車両用の計器装置を例にして説明したが、車両用の計器装置に限らず船舶用計器あるいは農業用機械や建設機械などの特殊車両の計器装置などにおいても適用することが可能であり、また指針式あるいは液晶による指示計器に限らず、例えばＥＬ表示パネルからな表示素子を用いた指示計器においても同様な構成を採用することができるものであり、同様な効果を得ることが可能である。
【符号の説明】
【００６５】
Ｓ    凹設空間部
１０    指示計器
１１    計器本体
１２    指針軸
１３    指針
２０    表示板
２１    表示部
２２    貫通孔
３０    回路基板
３１    貫通孔
４０    中ケース
４１    側壁部
４２    水平壁部
４３    円筒部
４４    反射壁部
４５    反射面部
５０    上ケース
５１    透視パネル部材
５２    見返しパネル部材
６０    下ケース
７０，７１    光源（発光ダイオード）
４００    フランジ部
４１０    係止部
４１１    弾性腕片
４１２    フック部
４１３    リブ
５１０    係止部
５１１    弾性腕片
５１２    フック部
５１３    リブ
５２０    係合部
５２１    弾性腕片
５２２    フック部
５２３    リブ
５２４    係止部
６００    係合部
６１０    基板受部
６２０    載置部
６２１    立ち上がり壁部
６２２    載置面部
６２３    開口窓部
６２４    係合受け部
６２５    突き当て部
６２６    スリット部
６２７    切り込み部
【図１】
2013113590.tif 000003
【図２】
2013113590.tif 000004
【図３】
2013113590.tif 000005
【図４】
2013113590.tif 000006
【図５】
2013113590.tif 000007
【図６】
2013113590.tif 000008
【図７】
2013113590.tif 000009
【図８】
2013113590.tif 000010